(57)【要約】【課題】  画像の信号レベル（画像の明るさ）に応じて効果的なノイズ除去処理を行うノイズ除去装置及びこれを用いた画像表示装置を提供する。【解決手段】  動画像信号を受け、１フレーム前のノイズ除去後の動画像信号との差分信号を求める減算部１４と、動画像信号の値に応じて、差分信号を増減させるべく乗算する第１乗算部２０と、第１乗算部により増減された差分信号を受けて、動画像信号の動き量を検出しこの動き量に応じて、減算部１４からの差分信号を増減するべく乗算する第２乗算部２５と、第２乗算部により増減された差分信号を動画像信号に加減算することで、動画像信号の中のノイズ成分を除去して、ノイズ除去後の動画像信号を出力する演算部２６と、演算部２６からのノイズ除去後の動画像信号を受けて記憶領域に記憶し、１フレーム前のノイズ除去後の動画像信号として減算部１４に供給する記憶部１２とを有するノイズ除去装置。【選択図】図１
2005347821.tif 000002
【特許請求の範囲】
【請求項１】
入力動画像信号と、１フレーム前のノイズの除去された動画像信号とがそれぞれ入力され、それらの信号の差分信号を求める減算部と、
前記減算部からの差分信号を基に動画像信号の動き量を検出し、動き量に応じて変化する係数を出力する動き検出回路と、
前記動き検出回路からの係数と、前記減算部に入力される動画像信号の値に応じて前記差分信号を増減して出力する乗算部と、
前記乗算部から出力された差分信号を前記入力動画像信号に加減算することで、前記動画像信号の中のノイズ成分を除去した動画像信号を出力する演算部と、
前記演算部からのノイズ除去後の動画像信号が入力され、１フレーム遅延した動画像信号を出力し前記減算部に供給する記憶部とを具備することを特徴とするノイズ除去装置。
【請求項２】
入力動画像信号と、１フレーム前のノイズの除去された動画像信号とがそれぞれ入力され、それらの信号の差分信号を求める減算部と、
前記減算部に入力される動画像信号の値に応じて、前記差分信号を増減させ、補正された差分信号を得る第１乗算部と、
前記第１乗算部からの補正された差分信号を受けて、動画像信号の動き量を検出し、動き量に応じて変化する係数を出力する動き検出回路と、
前記減算部からの差分信号に前記動き検出回路からの係数を乗算する第２乗算部と、
前記第２乗算部から出力された差分信号を前記入力動画像信号に加減算することで、前記動画像信号の中のノイズ成分を除去した動画像信号を出力する演算部と、
前記演算部からのノイズ除去後の動画像信号が入力され、１フレーム遅延した動画像信号を出力し前記減算部に供給する記憶部とを具備することを特徴とするノイズ除去装置。
【請求項３】
前記第１乗算部は、前記入力動画像信号と、前記１フレーム前の動画像信号と、前記入力動画像信号と前記１フレーム前の動画像信号との平均値信号のいずれかの信号に基づいて、前記差分信号を増減させるように乗算することを特徴とする請求項２記載のノイズ除去装置。
【請求項４】
前記差分信号の増減に利用される、前記入力動画像信号と、前記１フレーム前の動画像信号と、前記平均値信号のいずれかの信号は、それぞれ色信号及び輝度信号に関連するものであることを特徴とする請求項３記載のノイズ除去装置。
【請求項５】
前記第１乗算部は、前記減算部からの前記差分信号の絶対値を求め、前記減算部に入力される動画像信号の値に応じて、前記絶対値を増減させて補正されたる差分信号を得ることを特徴とする請求項２記載のノイズ除去装置。
【請求項６】
前記減算部で求めた差分信号の値が所定量以上であるとき、前記差分信号を抑制して前記第２乗算部に供給するリミッタをさらに備えたことを特徴とする請求項２記載のノイズ除去装置。
【請求項７】
入力動画像信号と、１フレーム前のノイズの除去された動画像信号とがそれぞれ入力され、それらの信号の差分信号を求める減算部と、
前記減算部からの差分信号を受けて、動画像信号の動き量を検出し、動き量に応じて変化する係数を出力する動き検出回路２２と、
前記減算部からの差分信号に前記動き検出回路からの係数を乗算する第１乗算部と、
前記減算部に入力される動画像信号の値に応じて、第１乗算部から出力された差分信号を増減させ、補正されたる差分信号を得る第２乗算部と、
前記第２乗算部から出力された差分信号を前記入力動画像信号に加減算することで、前記動画像信号の中のノイズ成分を除去した動画像信号を出力する演算部と、
前記演算部からのノイズ除去後の動画像信号が入力され、１フレーム遅延した動画像信号を出力し前記減算部に供給する記憶部とを具備することを特徴とするノイズ除去装置。
【請求項８】
前記第２乗算部は前記第１の乗算部からの差分信号を、前記入力動画像信号と、前記１フレーム前の動画像信号と、前記入力動画像信号と前記１フレーム前の動画像信号との平均値信号のいずれかの信号に基づいて増減させるように乗算することを特徴とする請求項７記載のノイズ除去装置。
【請求項９】
前記動き検出回路は、前記減算部からの前記差分信号の絶対値を基に、動き量に応じて変化する係数を出力することを特徴とする請求項７記載のノイズ除去装置。
【請求項１０】
前記減算部で求めた差分信号の値が所定量以上であるとき、前記差分信号を抑制して前記第１乗算部に供給するリミッタをさらに備えたことを特徴とする請求項７記載のノイズ除去装置。
【請求項１１】
動画像信号を供給する信号源と、
前記信号源からの入力動画像信号と、１フレーム前のノイズの除去された動画像信号とがそれぞれ入力され、それらの信号の差分信号を求める減算部と、
前記減算部からの差分信号を基に動画像信号の動き量を検出し、動き量に応じて変化する係数を出力する動き検出回路と、
前記動き検出回路からの係数と、前記減算部に入力される動画像信号の値に応じて前記差分信号を増減して出力する乗算部と、
前記乗算部から出力された差分信号を前記入力動画像信号に加減算することで、前記動画像信号の中のノイズ成分を除去した動画像信号を出力する演算部と、
前記演算部からのノイズ除去後の動画像信号が入力され、１フレーム遅延した動画像信号を出力し前記減算部に供給する記憶部と、
前記演算部から出力された動画像を表示するためのディスプレイとを具備したことを特徴とする画像表示装置。
【請求項１２】
動画像信号を供給する信号源と、
前記信号源からの入力動画像信号と、１フレーム前のノイズの除去された動画像信号とがそれぞれ入力され、それらの信号の差分信号を求める減算部と、
前記減算部に入力される動画像信号の値に応じて、前記差分信号を増減させ、補正されたる差分信号を得る第１乗算部と、
前記第１乗算部からの補正された差分信号を受けて、動画像信号の動き量を検出し、動き量に応じて変化する係数を出力する動き検出回路と、
前記減算部からの差分信号に前記動き検出回路からの係数を乗算する第２乗算部と、
前記第２乗算部から出力された差分信号を前記入力動画像信号に加減算することで、前記動画像信号の中のノイズ成分を除去した動画像信号を出力する演算部と、
前記演算部からのノイズ除去後の動画像信号が入力され、１フレーム遅延した動画像信号を出力し前記減算部に供給する記憶部と、
前記演算部から出力された動画像を表示するためのディスプレイとを具備したことを特徴とする画像表示装置。
【請求項１３】
動画像信号を供給する信号源と、
前記信号源からの入力動画像信号と、１フレーム前のノイズの除去された動画像信号とがそれぞれ入力され、それらの信号の差分信号を求める減算部と、
前記減算部からの差分信号を受けて、動画像信号の動き量を検出し、動き量に応じて変化する係数を出力する動き検出回路と、
前記減算部からの差分信号に前記動き検出回路からの係数を乗算する第１乗算部と、
前記減算部に入力される動画像信号の値に応じて、第１乗算部から出力された差分信号を増減させ、補正されたる差分信号を得る第２乗算部と、
前記第２乗算部から出力された差分信号を前記入力動画像信号に加減算することで、前記動画像信号の中のノイズ成分を除去した動画像信号を出力する演算部と、
前記演算部からのノイズ除去後の動画像信号が入力され、１フレーム遅延した動画像信号を出力し前記減算部に供給する記憶部と、
前記演算部から出力された動画像を表示するためのディスプレイとを具備したことを特徴とする画像表示装置。
【請求項１４】
前記動画像信号を供給する信号源は、放送信号を受けこれを選局し復調して動画像信号を出力するチューナ部、及び外部機器から供給された動画像信号を受ける入力端部と、前記チューナ部又は前記外部機器からの動画像信号を選択出力する選択部とを有してなることを特徴とする請求項１１乃至１３記載の画像表示装置。
【発明の詳細な説明】
【技術分野】
【０００１】
この発明は、動画像信号のノイズ除去装置に関し、特に、動画像信号の値（明るさ）に応じてノイズ除去の程度を制御するノイズ除去装置及びこれを用いた画像表示装置に関する。
【背景技術】
【０００２】
最近、動画像処理装置の普及・発達が著しく、高い信頼性が求められている。このような動画像処理装置の１つとして動画像ノイズ除去装置があり、例えば、フレーム巡回型ノイズ除去装置が知られている。
【０００３】
このフレーム巡回型ノイズ除去装置は、１フレーム前の出力画像と現在の入力画像とを減算してフレーム間差分を取り、このフレーム間差分にある係数をかけたものを現在の入力画像に加減算するものである。また、前記係数は、前記フレーム間差分から得られた動き検出情報に基づいて算出され、動きが大きいほど係数を小さくすることで残像の低減が図られている。
【０００４】
特許文献１及び特許文献２は、ノイズ除去装置において、ノイズではない本来の動画像の動きをも検出し、本来の動画像の動きであれば、ノイズ除去処理を一時的に抑制又は中止することで、画面上にノイズ除去処理の副作用である残像の発生等を回避するものである。
【特許文献１】特開平６−６２２８３号公報。
【特許文献２】特開平３−２４０３９３号公報。
【発明の開示】
【発明が解決しようとする課題】
【０００５】
従来技術のノイズ除去装置においては、特に、画像の暗い部分でノイズが目立つために、差分信号に応じて強いノイズ除去処理を行うと、特に、画像の明るい部分でノイズ除去処理の副作用である画面上の残像が目立つという問題がある。又、一方で、画像の明るい部分のノイズは、除去しなくともあまり目立たないという背景がある。
【０００６】
従って、画像の暗い部分ではノイズ除去を強化し、画像の明るい部分ではノイズ除去を軽減・中止する等、画像の明るさに応じたノイズ除去処理が有効となるが、上述した従来装置においては、その時々の画像の明るさ（輝度等）を考慮したノイズ除去ができないという問題がある。
【０００７】
本発明は、画像の信号レベル（画像の明るさ）に応じて効果的なノイズ除去処理を行うノイズ除去装置及びこれを用いた画像表示装置を提供することを目的とする。
【課題を解決するための手段】
【０００８】
本発明の一実施形態は、入力動画像信号と、１フレーム前のノイズの除去された動画像信号とがそれぞれ入力され、それらの信号の差分信号を求める減算部と、前記減算部からの差分信号を基に動画像信号の動き量を検出し、動き量に応じて変化する係数を出力する動き検出回路と、前記動き検出回路からの係数と、前記減算部に入力される動画像信号の値に応じて前記差分信号を増減して出力する乗算部と、前記乗算部から出力された差分信号を前記入力動画像信号に加減算することで、前記動画像信号の中のノイズ成分を除去した動画像信号を出力する演算部と、前記演算部からのノイズ除去後の動画像信号が入力され、１フレーム遅延した動画像信号を出力し前記減算部に供給する記憶部とを具備することを特徴とするノイズ除去装置である。
【０００９】
又、本発明は上述したノイズ除去装置を用いた画像表示装置である。
【発明の効果】
【００１０】
本発明のノイズ除去装置及び画像表示装置によれば、画像が暗ければノイズ除去処理を強調し、画像が明るければノイズ除去処理を軽減するように処理することができ、又、動画像信号の動き量の大きさに応じて、ノイズ除去処理を調整することで画面の残像を軽減することができる。
【発明を実施するための最良の形態】
【００１１】
以下、この発明の実施の形態について図面を参照して詳細に説明する。  
＜本発明の第１実施形態に係るノイズ除去装置＞
本発明の第１実施形態に係るノイズ除去装置は、画像信号レベル（画像の明るさ）に対応してノイズ除去効果を制御するノイズ除去装置を提供するものである。
【００１２】
初めに、図１を参照して、本発明の一実施形態に係るノイズ除去装置の一例を詳細に説明する。図１は、本発明の一実施形態に係るノイズ除去装置の構成の一例を示すブロック図であり、動画像信号として輝度信号に対するノイズ除去装置の例を示している。
【００１３】
図１に示すノイズ除去装置１は、動画像信号として例えば輝度信号Ｓ１を受ける減算部１４と、加算部２６とを有しており、更に、加算部２６の出力信号（ノイズ除去後の動画像信号）である出力輝度信号Ｓ１７を格納するフレームメモリ１２とを有している。
【００１４】
又、フレームメモリ１２の出力信号は、出力輝度信号Ｓ１７に対して１フレーム前の出力輝度信号（Ｓ３）であり、前記減算部１４に供給され、減算部１４の出力にはフレーム間差分信号Ｓ５を得ることができる。減算部１４の出力段には、振幅を一定値に制限して後段に出力するリミッタ２４と、リミッタ２４からの出力を受ける乗算部２５とを有している。
【００１５】
更に、ノイズ除去装置１は、減算部１４からのフレーム間差分信号Ｓ５を受け、その絶対値の信号Ｓ９を出力する絶対値検出部１６と、絶対値検出部１６からのフレーム間差分絶対値信号Ｓ９を受ける乗算部２０とを有している。又、ノイズ除去装置１は、フレームメモリ１２からの１フレーム前の出力輝度信号Ｓ３と入力輝度信号Ｓ１を受けて加算結果を出力する加算部１５と、加算結果の平均値を出力する平均部１７を有している。
【００１６】
更に、前記１フレーム前の出力輝度信号Ｓ３と、前記入力輝度信号Ｓ１と、平均部１７からの平均値信号の三つの信号を受けて、一つ（又は後述するようにこれらの複数、又は複数の平均値）を選択出力する選択部２８とを有している。選択部２８は、ノイズ除去処理を制御するため画像の明るさに応じた信号情報を選択して後段の係数発生器１８に出力するものであり、予め決められた選択基準で複数の信号から一つを選択出力し、適宜、図示しない制御部から制御されて選択出力するようにしている。
【００１７】
更に、ノイズ除去装置１は、この選択部２８からの画像の明るさに応じた信号を受け、これに応じた係数を発生させて、乗算部２０に供給する係数発生器１８を有する。この乗算部２０では、前記係数を基に乗算処理を行い、補正されたフレーム間差分絶対値信号Ｓ１１を出力し、その補正された絶対値信号Ｓ１１を受ける動き検出回路２２を有している。動き検出回路２２は、入力された信号から、通常の動画像信号の画像の動きを検出し、これに応じてノイズ除去処理を軽減するような巡回係数Ｓ１３を生成し、乗算部２５に供給している。
【００１８】
（動作）
このような構成を有するノイズ除去装置１は、以下に述べるように、画像の明るさ（輝度等）と、動画像信号の動き程度とに応じて適切なノイズ除去処理を行うものである。すなわち、主に、乗算部２０と乗算部２５との働きで、減算部１４からのフレーム間差分信号Ｓ５の値を調整し、画像が暗ければノイズ除去処理を強調し、画像が明るければノイズ除去処理を軽減する。又、動き検出回路２２と乗算部２５は、動画像信号の動き量が一定量以上である時はノイズ除去処理を中断したり、動画像信号の動き量の大きさに比例して、ノイズ除去処理を軽減したりして、画面の残像を軽減するものである。
【００１９】
これにより、画像の明るい部分では、ノイズ除去処理を中止又は軽減し、画像の暗い部分では、ノイズ除去処理を強化することで、全体にノイズが除去され、残像の目立たない高品質な動画面を得ることができる。
【００２０】
具体的に説明すると、入力輝度信号Ｓ１は、フレームメモリ１２から読み出された１フレーム前の出力輝度信号Ｓ３と共に減算部１４に入力されて、フレーム間差分信号Ｓ５を得る。フレーム間差分信号Ｓ５は、リミッタ２４により振幅をある任意の値に制限された後、乗算部２５により巡回係数Ｓ１３が乗ぜられる。
【００２１】
巡回係数Ｓ１３は、画像の明るさ及び動画像の動き成分を含んだ係数であり、画像が明るくなると、係数発生器１８の係数Ｓ７の値が大きくなることで、補正された絶対値信号Ｓ１１の値も大きくなり、これにより、巡回係数Ｓ１３の値が小さくなる。したがって、乗算部２５は、リミッタ２４を経た差分信号Ｓ５の値を小さくして、演算部２６でのノイズ除去処理の程度を抑制（軽減又は停止）させる。
【００２２】
更に、入力輝度信号Ｓ１は、演算部２６により、乗算部２５からの差分信号Ｓ５と加算又は減算することで、動画像信号中のノイズを除去する。演算部２６の処理は乗算部２５からの差分信号の符号（プラスかマイナス）によって減算又は加算の処理が行われ、ノイズを除去するようにしている。
【００２３】
一方、入力輝度信号Ｓ１と、１フレーム前の出力輝度信号Ｓ３と、両者の平均値信号Ｓ６は、選択部２８に供給され、それらの信号の内、一つが選択部２８により選択され、係数発生器１８に供給される。係数発生器１８では、選択された信号のレベルに応じた係数Ｓ７が出力され、乗算部２０によりフレーム間差分絶対値信号Ｓ９に乗ぜられる。これにより補正されたフレーム間差分絶対値信号Ｓ１１が動き検出回路２２に入力される。ここで、係数発生器１８は、例えば、入力信号レベルが所定の範囲より小さい場合には１以下の値、入力信号レベルが前記所定の範囲より大きい場合には１以上の値を発生する。この場合、輝度信号レベルが低い場合は絶対値信号Ｓ９よりも補正された絶対値信号Ｓ１１の方が小さい値となり、輝度信号レベルが高い場合は絶対値信号Ｓ９よりも補正された絶対値信号Ｓ１１の方が大きい値となる。
【００２４】
動き検出回路２２は、補正されたフレーム間差分絶対値信号Ｓ１１が大きいほど巡回係数Ｓ１３の値を小さくしてノイズ除去効果を落とし、残像を低減するように働く。即ち、輝度信号レベルが低い場合には通常より巡回係数Ｓ１３が大きくなり、輝度信号レベルが高い場合には通常より巡回係数Ｓ１３が小さくなる。つまり、ノイズが目立ちやすい暗部はノイズ除去効果が高くなり、目立ちにくい明部はノイズ除去効果を落とし、残像を低減することになる。
【００２５】
このように本発明によれば、ノイズ除去処理において、動画像信号のノイズが同じノイズレベルであっても、画像信号レベル（画像の明るさ）によりノイズの目立ち易さが異なることを考慮し、画像信号レベル（画像の明るさ）に対応してノイズ除去効果を制御することで、従来以上に高品質の動画像信号を得ることができる。
【００２６】
なお、この例では係数発生器１８と乗算部２０とを用いて補正フレーム間差分絶対値信号Ｓ１１を得たが、本発明の実施形態は、この構成に限定されるものではない。例えば、係数発生器１８と乗算部２０の機能（更には動き検出回路２２と乗算部２５との機能）を、ＣＰＵとＲＡＭ等で実現したルックアップテーブルとにより代用することで、一層、きめ細かな画像信号レベル（画像の明るさ）に対応したノイズ除去処理を実現することができる。
【００２７】
＜第２実施形態に係るノイズ除去装置＞
本発明の第２実施形態に係るノイズ除去装置は、画像信号レベル（画像の明るさ）に対応した係数を発生する際に輝度信号と色信号とに基づいてこれを決定することで、ノイズ除去効果を制御するものである。
【００２８】
図２は、本発明の一実施形態に係るノイズ除去装置の、色信号と輝度信号の両方を考慮した場合の構成の一例を示すブロック図である。図２において、その要部は図１に示すノイズ除去装置１と同等のものであり、相違個所だけを以下に説明する。第２の実施形態に係るノイズ除去装置２は、図２に示すように、入力部において、入力色信号Ｓ１１を受けるものであり、更に、第２の入力部において、入力輝度信号Ｓ１を受けるものである。
【００２９】
更に、選択部２９に供給される信号が図１の第１実施形態のノイズ除去装置１とは異なり、色信号Ｓ１１と、１フレーム前のノイズ除去された色信号Ｓ１３と、両者の平均値信号Ｓ１６のほかに、入力輝度信号Ｓ１と、１フレーム前のノイズ除去された輝度信号Ｓ３と、両者の平均値信号Ｓ６とを受けるものである。選択部２９に供給される信号の内、どの信号を選択するかは、設計者の実測等によりノイズ除去効果が高い信号が選ばれるようにしている。或いは、図示しない制御部により、その都度、最適信号を決定して、選択できるようにしても良い。
【００３０】
なお、ここでは、入力輝度信号Ｓ１の１フレーム前のノイズ除去された輝度信号Ｓ３を得るためのノイズ除去装置３５と、フレームメモリ３２と、１フレーム前後の両者の平均値信号Ｓ６を得るための加算部３３と平均部３４とが、図２のノイズ除去装置２の構成に加えて必要となる。
【００３１】
又、選択部２９及び係数発生器１８の設定により、これら色信号Ｓ１１と、１フレーム前のノイズ除去された色信号Ｓ１３と、両者の平均値信号Ｓ１６と、入力輝度信号Ｓ１と、１フレーム前のノイズ除去された輝度信号Ｓ３と、両者の平均値信号Ｓ６との中から一つを選択するのではなく、複数以上を選択するようにしても良い。又、例えば、単に、色信号Ｓ１３と輝度信号Ｓ３との平均値に基づいて、係数発生器１８で係数を決定してもよい。又、これらの６つの信号を自由に組み合わせたり、又、他の信号を適宜、追加して演算することで良い結果がえられれば、それを行うことも好適である。
【００３２】
なお、この例では係数発生器１８と乗算部２０とを用いて補正されたフレーム間差分絶対値信号Ｓ１１を得たが、本発明の実施形態は、この構成に限定されるものではなく、第１実施形態と同様に、係数発生器１８と乗算部２０の機能（更には動き検出回路２２と乗算部２５との機能）を、ＣＰＵとＲＡＭ等で実現したルックアップテーブルとにより代用することで、一層、きめ細かな画像信号レベル（画像明るさ）に対応したノイズ除去処理を実現することができる。
【００３３】
＜第３実施形態に係るノイズ除去装置＞
図３は、本発明の一実施形態に係るノイズ除去装置の、色信号と輝度信号の両方を考慮した場合の構成の一例を示すブロック図である。
【００３４】
すなわち、本発明の第３実施形態に係るノイズ除去装置３は、図３に示すように、その要部は、図１に示すノイズ除去装置１とほとんど同一の構成としているが、係数発生器１８の出力は、動き検出に応じて差分信号を乗算する乗算部２５の出力に設けられたる乗算部３９に供給されているものである。このように、最終的な差分信号を直接、画像信号レベル（画像の明るさ）に応じた係数により制御することで、より画像信号レベルへの反応性を高めることができるため、画像信号レベルに対応した効率的なノイズ除去処理を可能とするものである。
【００３５】
＜第４実施形態に係るノイズ除去装置＞
本発明の第４実施形態に係るノイズ除去装置は、上述したノイズ除去装置を複数用いて、例えば、輝度信号Ｙと色差信号ＣＢ，ＣＲ等をそれぞれ処理するノイズ除去装置を提供するものである。図４は、色信号と輝度信号とをそれぞれ並列のノイズ除去装置で処理した場合の構成の一例を示すブロック図、図５は、色信号と輝度信号とを三つのノイズ除去装置で処理した場合の構成の一例を示すブロック図、図６は、三つの色信号を三つのノイズ除去装置で処理した場合の構成の一例を示すブロック図である。
【００３６】
すなわち、図４のノイズ除去装置５１は、二つのノイズ除去装置を有するものであり、図１又は図３に示したノイズ除去装置１（又は３）を利用して、輝度信号Ｙのノイズ除去を行い、同様に図２のノイズ除去装置２を利用して、色差信号ＣＢ，ＣＲのノイズ除去を行うものである。これにより、二つのノイズ除去装置により、輝度信号Ｙと、色差信号ＣＢ，ＣＲとについて、画像信号レベル（画像の明るさ）に応じてノイズが除去されるノイズ除去装置を得ることができる。
【００３７】
更に、図５は、図１又は図３に示したノイズ除去装置１（又は３）を利用して、輝度信号Ｙのノイズ除去を行い、同様に図３に示したノイズ除去装置３により、色差信号ＣＢ及び、色差信号ＣＲについてノイズ除去を行うものである。これにより、三つのノイズ除去装置により、輝度信号Ｙと、色差信号ＣＢと色差信号ＣＲとについて、画像信号レベル（画像の明るさ）に応じてノイズが除去されるノイズ除去装置を得ることができる。
【００３８】
又、図６においては、図１又は図３に示したノイズ除去装置１（又は３）を利用して、色信号Ｒ，色信号Ｇ，色信号Ｂについて、ノイズ除去を行うものである。
【００３９】
＜第５実施形態：ノイズ除去装置を用いた画像表示装置＞
本発明の第５実施形態は、上述した第１乃至第３の実施形態であるノイズ除去装置を用いた画像表示装置を提供するものである。図７は、本発明の画像処理装置の構成を示すブロック図である。
【００４０】
本発明の第５実施形態は、上述した第１乃至第３実施形態であるノイズ除去装置を用いた画像表示装置６０であり、例えば、ＢＳ、ＣＳ、地上波等を受信し表示するテレビジョン装置の一例を示すものである。図７は、ＢＳデジタルチューナ、ＣＳデジタルチューナ、地上波デジタルチューナ等のデジタルチューナ６１と、デジタルチューナ６１の出力であるＭＰＥＧデータを受けてこれをデコードするＭＰＥＧデコーダ６２と、ＢＳアナログチューナ、地上波アナログチューナ等のアナログチューナ６３と、このアナログチューナ６３の出力を受けて、輝度色差分離処理を行い、ビデオクロマ信号のデコードを行うＹＣ分離・ビデオクロマデコーダ６４と、外部から輝度信号Ｙや色差信号ＣＢ、ＣＲ、コンポジット信号、ＲＧＢ等の動画像信号を受ける外部入力端子６５と、これらの動画像信号の処理を行うＹＣ分離・ビデオクロマデコーダ６６とを有している。
【００４１】
更に、画像表示装置６０は、これら、ＭＰＥＧデコーダ６２と、ＹＣ分離・ビデオクロマデコーダ６４，６５との出力を受け、図示しない制御部の制御信号や、図示しない操作部の操作信号に応じて、一つ又は複数の信号を選択して出力する選択部６７と、選択部からの動画像信号を受けて、画像信号レベル（画像の明るさ）に応じてノイズの除去を行うノイズ除去装置１（又は２，３）とを有している。更に、画像表示装置６０は、ノイズ除去装置１（２又は，３）のノイズが除去された動画像信号を受けるＩＰ変換・スケーラ部６８と、この後段に接続される画質調整部６９と、プラズマディスプレイや液晶画面等のフラットディスプレイ７０とを有している。
【００４２】
本発明の第５実施形態に係る画像表示装置においては、上述したノイズ除去装置１（又は２，３）が有効に利用され、これにより、例えば、画像の暗い部分では、高い巡回係数Ｓ１３等により強力なノイズ除去を行って、ノイズのない映像をディスプレイ７０上に表示するものであり、又、比較的、画像の暗い部分では、低い巡回係数Ｓ１３により抑制されたノイズ除去処理により残像がめだたない画面を表示するものである。これによって全体としてノイズが少なく残像も目立たないトータルとして高品質な画面をフラットディスプレイ７０上に表示する画像表示装置を提供することができる。
【００４３】
以上記載した様々な実施形態により、当業者は本発明を実現することができるが、本発明は、上述した実施形態に限定されるものではない。
【図面の簡単な説明】
【００４４】
【図１】本発明の一実施形態に係るノイズ除去装置の構成の一例を示すブロック図。
【図２】本発明の第２の実施形態に係るノイズ除去装置の構成の一例を示すブロック図。
【図３】本発明の第３の実施形態に係るノイズ除去装置の構成の一例を示すブロック図。
【図４】本発明の色信号と輝度信号のノイズ除去装置の構成の一例を示すブロック図。
【図５】本発明の色信号と輝度信号のノイズ除去装置の構成の他の例を示すブロック図。
【図６】本発明の三つの色信号に対するノイズ除去装置の構成の一例を示すブロック図。
【図７】本発明のノイズ除去装置を用いた画像表示装置の一例を示すブロック図。
【符号の説明】
【００４５】
１，２，３…ノイズ除去装置、
１２…フレームメモリ、１４…減算部、１８…係数発生器、２０…乗算部、１５…加算部、１７…平均部、２２…動き検出部、２５…乗算部、２６…演算部。
【図１】
2005347821.tif 000003
【図２】
2005347821.tif 000004
【図３】
2005347821.tif 000005
【図４】
2005347821.tif 000006
【図５】
2005347821.tif 000007
【図６】
2005347821.tif 000008
【図７】
2005347821.tif 000009